(57)【要約】本発明は、光ピックアップユニット（４００）を制御する制御器（５００）であって、前記光ピックアップユニット（４００）が、光記録媒体（２５０）のデータ領域（２００）にデータを記録し、光記録媒体（２５０）のラベル領域（２８０）に可視ラベル（２３０）を記録するための第１光源（１００）と、可視ラベル（２３０）を記録する第２光源（１１０）とを有する、制御器（５００）であり、制御器（５００）は、第１光源（１００）及び第２光源（１１０）が同時に、可視ラベル（２３０）を少なくとも一部を記録するように、ピックアップユニット（４００）を制御するように備えられている、制御器（５００）に関する。本発明は、可視ラベル記録機能を支援するＣＤ、ＤＶＤ、ブルーレイドライブ等の光学ドライブ全てにおいて有用である。
2009517800.tif 000002
【特許請求の範囲】
【請求項１】
光ピックアップユニットを制御する制御器であって、前記光ピックアップユニットは、
光記録媒体のデータ領域にデータを記録し、前記光記録媒体のラベル領域に可視ラベルを記録する第１光源と、
可視ラベルを記録する第２光源と、
を有する、制御器であり、
前記第１光源及び前記第２光源が同時に前記可視ラベルを少なくとも一部を記録するように、前記制御器が前記ピックアップユニットを制御するように備えられている、
ことを特徴とする、制御器。
【請求項２】
請求項１に記載の制御器であって、
前記第１光源は第１光ビームを出射し、
前記第２光源は第２光ビームを出射し、
前記制御器は、前記光記録媒体の前記ラベル領域において単独の記録位置に前記第１ビーム及び前記第２光ビームを同時にフォーカシングするように、前記光ピックアップユニットを制御するように更に備えられている、
ように、前記光ピックアップユニットを制御することができることを特徴とする、制御器。
【請求項３】
請求項１に記載の制御器であって、
前記第１光源は第１光ビームを出射し、
前記第２光源は第２光ビームを出射し、
前記制御器は、前記光記録媒体の前記ラベル領域において異なる記録位置に前記第１ビーム及び前記第２光ビームを同時にフォーカシングするように、前記光ピックアップユニットを制御するように更に備えられている、
ように、前記光ピックアップユニットを制御することができることを特徴とする、制御器。
【請求項４】
請求項１乃至３の何れか一項に記載の制御器であって、
前記第１光源及び前記第２光源を連続して規則的に選択することにより、光ピックアップユニットを制御し、
第１光源の入力電流と出力光パワーとの間の第１関係と、第２光源の入力電流と出力光パワーとの間の第２関係とを得、そして
前記第１光源を制御する前記第１関係と、前記第２光源を制御する前記第２関係とを用いる、
ことができることを特徴とする、制御器。
【請求項５】
請求項４に記載の制御器であって、更に、前記第１光源及び前記第２光源を選択することにより前記光ピックアップユニットを制御し、前記光ピックアップユニットが第１位置から第２位置まで移動される時間間隔において前記第１関係及び前記第２関係を得ることができることを特徴とする、制御器。
【請求項６】
請求項１乃至５の何れか一項に記載の制御器を有する光学装置であって、特に、ＣＤドライバ、ＤＶＤドライバ又はブルーレイドライバである、光学装置。
【請求項７】
請求項６に記載の光学装置を有する記録装置であって、特に、ＣＤレコーダ、ＤＶＤレコーダバ又はブルーレイレコーダである、記録装置。
【請求項８】
光ピックアップユニットを制御することにより光記録媒体のラベル領域に可視ラベルを記録する方法であって、前記光ピックアップユニットは、
光記録媒体のデータ領域にデータを記録し、前記光記録媒体のラベル領域に可視ラベルを記録する第１光源と、
可視ラベルを記録する第２光源と、
を有する、方法であり、
前記方法は、前記第１光源及び前記第２光源が同時に前記可視ラベルを少なくとも一部を記録するように、前記ピックアップユニットを制御するステップを有する、
ことを特徴とする、方法。
【請求項９】
前記プログラムがコンピュータにおいて実行されるときに、請求項８の方法を実行するプログラムコード手段を有するコンピュータプログラム。
【請求項１０】
前記プログラムがコンピュータにおいて実行されるときに、請求項８の方法を実行するコンピュータ読み取り可能媒体に記憶されるプログラムコード手段を有するコンピュータプログラム。
【発明の詳細な説明】
【技術分野】
【０００１】
本発明は、光記録媒体に可視ラベルを記録する光ピックアップユニットを制御する制御器に関する。
【０００２】
本発明は、光記録媒体に可視ラベルを記録する制御器を有する光学ドライブに更に関する。
【０００３】
本発明は、光記録媒体に可視ラベルを記録する光ドライブを有する記録装置に更に関する。  
本発明は、光ピックアップユニットを制御することにより光記録媒体に可視ラベルを記録する媒体に更に関する。
【０００４】
本発明は、光記録媒体に可視ラベルを記録する方法を実行するコンピュータプログラムコード手段に更に関する。
【０００５】
本発明は、光記録媒体に可視ラベルを記録する方法を実行するコンピュータプログラムに更に関する。
【背景技術】
【０００６】
光記録媒体に可視ラベルを記録するために用いられるシステムの実施形態については、国際公開第０３／０３２２９９号パンフレットに開示されている。統合型ＣＤ／ＤＶＤライタ及びラベラは、光記録媒体のラベル側にラベルを記録する第１レーザ源と、光記録媒体のデータ側にデータを記録する第２レーザ源とを有する。国際公開第０３／０３２２９９号パンフレットにおいて開示されているラベル記録解決方法を用いる、市場におけるシステムには課題がある。それらのシステムは、可視ラベルを記録するのに長い時間を要する。この課題は、フルグラフィック画像がラベル側に記録される必要があるとき、かなり多く理解される。国際公開第０３／０３２２９９号パンフレットに開示されている解決方法を用いて、最適な品質でそのようなフルグラフィック画像を記録するには、約３６分の記録時間を要する。記録に要する多くの時間は、ユーザを不快にさせ、イライラさせるものである。
【特許文献１】国際公開第０３／０３２２９９号パンフレット
【発明の開示】
【発明が解決しようとする課題】
【０００７】
それ故、本発明の第１の目的は、可視ラベルを記録する記録時間を短縮する、冒頭の段落で説明している種類の制御器を提供することである。
【０００８】
本発明の第２の目的は、可視ラベルを記録する記録時間を短縮する、冒頭の段落で説明している種類の制御器を有する光学装置を提供することである。
【０００９】
本発明の第３の目的は、可視ラベルを記録する記録時間を短縮する、冒頭の段落で説明している種類の記録装置を提供することである。  
本発明の第４の目的は、可視ラベルを記録する記録時間を短縮する、冒頭の段落で説明している種類の可視ラベルを記録する方法を提供することである。
【００１０】
本発明の第５の目的は、可視ラベルを記録する記録時間を短縮する、冒頭の段落で説明している種類のコンピュータプログラムコード手段を提供することである。
【００１１】
本発明の第６の目的は、可視ラベルを記録する記録時間を短縮する、冒頭の段落で説明している種類のコンピュータプログラムを提供することである。
【課題を解決するための手段】
【００１２】
本発明の第１の目的は、光ピックアップユニットを制御する制御器を備えることにより実現され、光ピックアップユニットは、
−  光記録媒体のデータ領域にデータを記録し、光記録媒体のラベル領域に可視ラベルを記録する第１光源と、
−  可視ラベルを記録する第２光源と、
を有し、その制御器は、第１光源及び第２光源の少なくとも一部が、同時に可視ラベルを記録するように、光ピックアップユニットを制御するように備えられている。第１光源及び第２光源を同時に用いることにより、可視レベルを記録するために利用可能な電力量は増加する。例えば、特定のコーティング材料である、ラベル領域における材料は、典型的には、感熱材料又は感光材料であり、より早く加熱されるものである。それ故、その材料は、記録のために要する時間は短い。本発明は、光ピックアップユニットにおいて既存の光源が再利用される有利点を有する。本発明は、何れかの付加構成要素を必要とせず、それ故、可視ラベルを記録するために用いられるシステムのコストを殆ど追加しない。更に、制御器は、ハードウェアにおける変化なしで又はほんの最小の変更のみで実行されることが可能である。
【００１３】
実施形態においては、制御器は、
−  第１光源が第１光ビームを出射し、
−  第２光源は第２光ビームを出射する
ように、光ピックアップユニットを制御することができ、制御器は、光記録媒体のラベル領域における異なる記録位置に第１光ビーム及び第２光ビームを同時にフォーカシングするように、光ピックアップユニットを制御するように更に備えられている。異なる位置を同時に記録することは有利である。異なる位置を同時に記録することにより、全体の記録領域は増加し、それ故、記録時間を更に短縮することができる。この実施形態は、ラベル領域の過熱を防止し、光源を効率的に使用することができる更なる有利点を有する。この実施形態は、光ビームのフォーカシングを制御する自由度を与える。第１光源及び第２光源は、異なる記録位置に対して独立してフォーカシングするように制御されることが可能である。
【００１４】
更なる実施形態においては、制御器は、順に第１光源及び第２光源を規則的に選択することにより光ピックアップユニットを制御し、
−  第１光源の入力電流と出力光パワーとの間の第１関係、
−  第２光源の入力電流と出力光パワーとの間の第２関係、
を得、
−  第１光源を制御する第１関係、
−  第２光源を制御する第２関係、
を用いることができる。
【００１５】
入力電流及び出力光パワーの関係を得ることにより、ラベル記録のために必要な光パワーを制御することが可能である。それらの関係は、ラベル記録のために適する光パワーを得るように適用する必要がある電流量を示す。
【００１６】
第１光源及び第２光源の光パワーは、独立して制御されることが可能である。この実施形態は、制御された光パワーを同時に有する第１光源及び第２光源を用いることができる有利点を有する。
【００１７】
更なる実施形態においては、制御器は、第１光源及び第２光源を選択することにより光ピックアップユニットを制御し、光ピックアップユニットが第１位置及び第２位置から動かされる時間間隔において第１関係及び第２関係を得ることができる。この実施形態は、進行している可視ラベル記録が存在しない時間の間に、入力電流及び出力光パワーの関係が得られる有利点を有する。それ故、それらの関係を得る過程は、ラベル記録時間に影響しない。アクティブなラベル記録が存在しない時間は、入力電流及び出力光パワーの関係を得るように利用される。その時間は、ラベル品質にも、記録時間にも影響しない。
【００１８】
本発明の第２の目的は、光学ドライブ、特に、上記の実施形態において説明しているような制御器を有する、ＣＤドライブ、ＤＶＤドライブ又はブルーレイドライブを備えることにより実現される。
【００１９】
本発明の第３の目的は、記録装置、特に、上記のような光学ドライブを有する、ＣＤレコーダ、ＤＶＤレコーダ又はブルーレイレコーダを備えることにより実現される。
【００２０】
本発明の第４の目的は、光ピックアップユニットを制御することにより光記録媒体のラベル領域に可視ラベルを記録する方法を与えることにより実現され、その光ピックアップユニットは、
−  光記録媒体のデータ領域にデータを記録し、光記録媒体のラベル領域に可視ラベルを記録するための第１光源と、
−  可視ラベルを記録するための第２光源であって、その方法は、第１光源及び第２光源が同時に可視ラベルを少なくとも一部を記録するように、光ピックアップユニットを制御するステップを有する、第２光源と、
を有する。
【００２１】
本発明の第５の目的は、前記プログラムがコンピュータにおいて実行されるときに、上記で説明している可視ラベルを記録する方法を実行するプログラムコード手段を有するコンピュータプログラムを備えることにより実現される。
【００２２】
本発明の第６の目的は、前記プログラムがコンピュータにおいて実行されるときに、可視ラベルを記録する方法を実行するコンピュータ読み取り可能媒体に記憶されている、上で説明しているプログラムコード手段を有するコンピュータプログラムを備えることにより実現される。
【００２３】
本発明の上記の及び他の目的については、以下、図を参照して更に詳述する。
【発明を実施するための最良の形態】
【００２４】
図１乃至６においては、同じ構成及び機能を有する要素について同じ参照番号で示されている。
【００２５】
図１は、データ領域２００及びラベル領域２８０を有する例示としてのディスク形状の光記録媒体２５０の平面図及び斜視図を示している。データ領域２００は、情報を示す記録可能マークが適用されることが可能であるトラック２１２を有する。それらのトラックは同心円である又は螺旋状に接続されていることが可能である。光記録媒体２５０の裏面はラベル領域２８０である。ラベル領域は、例えば、光ビームを用いてラベルが書き込まれることを可能にする材料でコーティングされることが可能である。この材料は、感光材料又は感熱材料であることが可能である。光記録媒体は、例えば、読み取り専用型（ＣＤ−ＤＡ、ＤＶＤビデオ、ＤＶＤ−ＲＯＭ）、追記型及び書き込み多数回記録可能型（ＣＤ−ＲＷ、ＤＶＤ−ＲＷ、ＤＶＤ＋ＲＷ）等の多くの種類で製造されていることに留意する必要がある。本発明は、上記の種類全て及び新しく開発されたブルーレイディスクに対して適用可能であり、ラベル領域２８０は、例えば、感光性材料又は感熱性材料でコーティングされている。例示目的で、ディスク形状の光記録媒体が用いられているが、他の形状の光記録媒体がまた、用いられることが可能である。１つのそのような例には、カード式情報記録媒体がある。
【００２６】
図２は、光ピックアップユニット４００を制御する制御器５００の実施形態を示している。図２においては、制御される光ピックアップユニット４００は、第１光源１００及び第２光源１１０を有する。それらの光源は、半導体レーザのようなレーザ光源であって、例えば、７８０ｎｍの波長及び３ｍＷの光パワーを有する赤外線レーザダイオード、６８０ｎｍの波長及び５ｍＷの光パワーを有する赤色レーザダイオード、又は４０５ｎｍの波長及び７ｍＷの光パワーを有する青色レーザダイオードであることが可能である。第１光ビーム１６０は、例えば、カード式情報記録媒体等の光記録媒体２５０のデータ領域２００にデータを記録し、及び、例えば、光記録媒体１５０のラベル領域２８０に単語、Ｐｈｉｌｉｐｓ等の、可視ラベル２３０を記録するために用いられる。第２光ビーム１７０は、可視ラベル２３０を記録するために用いられる。制御器５００は、第１光源１００及び第２光源１１０が、同時に、光記録媒体２５０に可視ラベル２３０を少なくとも一部を記録するように、光ピックアップユニット４００を制御するように備えられている。図２ａ及び２ｂは、制御器５００を用いて、例えば、ＤＶＤディスク等の光記録媒体２５０のラベル領域２８０において生成されることが可能である可視ラベルの幾つかの例を示している。図２ａは、ＰＨＩＬＩＰＳのような企業のロゴが記録された光記録媒体２５０のラベル領域２８０を示している。図２ｂは、テキスト及び画像の両方が記録された可視ラベルを示している。その可視ラベルは、“Ｃｏｌｌｅｃｔｉｏｎ  ｏｆ  ｐｉｃｔｕｒｅｓ−Ｔｈｅ  Ｂｕｌｌ  Ｔｅｍｐｌｅ  Ｖｉｓｉｔ”のテキストと、Ｂｕｌｌ  Ｔｅｍｐｌｅ、庭及び水の流れの生き生きと描かれた絵とを有している。可視ラベルはまた、ホログラムであることが可能であることに留意する必要がある。ここでは、ラベルは、テキスト、パターンの何れか又は何れかのグラフィックデザインを意味することがまた、可能である。例えば、テキスト及びパターン等のそれらの組み合わせであることがまた、可能である。典型的には、可視ラベルは、光ディスクのラベル側に形成されるが、このことは、例えば、カード情報記録媒体が同じ側に、ラベル領域及びデータ領域を有することが可能であるような場合であることは必ずしも必要はない。
【００２７】
図３は、光ピックアップユニット４００を制御する制御器５００の他の実施形態を示している。制御器５００は、第１光源１００が第１光ビーム１６０を出射し、第２光源１１０が第２光ビーム１７０を出射するように、光ピックアップユニットを制御する。更に、制御器５００は、光記録媒体２５０のラベル領域２８０における単独の記録位置２９０に第１光ビーム１６０及び第２光ビーム１７０を同時にフォーカシングするように備えられている。これについては、図３ａに更に示している。第１光ビーム１６０及び第２光ビーム１７０は、光記録媒体２５０のラベル領域２８０における単独の記録位置を照明するように、光ピックアップユニット４００に存在する共通光学系３０４を透過する。光ビーム１６０、１７０の波長の差分及び光学系３０４の色収差のために、光ビーム１６０、１７０は、図３ａに示す光記録媒体２５０において異なる照明領域ａ１及びａ２をもたらす。制御器５００は、ａ）光ビーム１６０、１７０の露光時間、ｂ）光ビーム１６０、１７０の焦点、ｃ）照明領域ａ１及びａ２の直径を制御し、それにより、可視ラベル記録を制御する光ビーム１６０、１７０の軸位置等のパラメータを制御する。
【００２８】
図４は、光ピックアップユニット４００を制御する制御器５００の他の実施形態を示している。制御器５００は、光記録媒体２５０のラベル領域２８０における異なる記録位置２９０ａ、２９０ｂに第１光ビーム１６０及び第２光ビーム１７０を同時にフォーカシングするように備えられている。このことは、例えば、第１光源１００及び第２光源１１０のための別個の光学系を有することにより達成される。そのような別個の光学系を有することは、異なる記録位置への光ビーム１６０、１７０のフォーカシングを可能にし、フォーカシングの自由度についての有利点を与える。更に、上の実施形態で説明しているように、制御器５００は、可視ラベル記録を制御するように、前の段落に上げているパラメータを制御する。
【００２９】
図５ａ、５ｂ及び５ｃは、光ピックアップユニット４００を制御する制御器５００の更なる実施形態の詳細を示している。図５ａにおいては、制御器５００は、第１光源１００をオンに切り換え、第１光源１００に適用される電流１００ａを制御する。制御器５００は、第１光源１００に電流１００ａを適用することにより得られる光パワー１００ｂを測定する。制御器５００は、入力電流１００ａを変えて、得られる、対応する出力光パワー１００ｂを測定する。第１光源１００の出力光パワー１００ｂは、フォトダイオード５４０のような光検出器を用いることにより測定される。この測定を行うことにより、制御器５００は、第１光源１００の出力光パワー１００ｂと入力電流１００ａとの間の第１関係を得る。同じステップに従って、制御器５００は、第２光源１１０の出力光パワー１１０ｂと入力電流１１０ａとの間の第２関係を得る（図５ａには示していない）。得られた関係を図５ｂに示している。図５ｂにおいては、横軸５２０ａは、光源１１０に適用される電流１１０ａを示している。縦軸５１０ａは、適用される電流レベル１１０ａにおいて測定された光パワー１１０ｂを示している。制御器５００は、それらの関係、例えば、ラベリングが行われないブランク領域が存在する各々の時間を規則的に得る。第１関係及び第２関係を得た後、制御器５００は、図５ｃに示す第１の得られた関係を用いる第１光源１００及び第２の得られた関係を用いる第２光源１１０を同時に、オンに切り換える。この実施形態は、制御された光パワーと同時に第１光源及び第２光源とを用いる有利点を有する。このことは、光記録媒体２５０に適用されるパワー量を制御するように支援するため、個別の光源１００、１１０の各々を独立して制御することができる有利点を有する。
【００３０】
図６は、光ピックアップユニットを制御する制御器５００を有する光学装置８００を示している。構成要素、即ち、ａ）モーター６５０、ｂ）光ピックアップユニット４００、ｃ）スレッジ６７０、ｄ）光学装置８００のアクチュエータ６９０は、米国特許出願公開第２００５／０１１７４９９号明細書に記載されている光情報記録及び再生装置により既知であり、その文献の援用により、本明細書の説明の一部を代替する。図６に示す光学装置８００は、光記録媒体３５０を保持し、回転させるためのマウント６１０及びモーター６５０を有する。光記録媒体２５０のラベル領域２８０は、可視ラベルが光記録媒体２５０のラベル領域２８０に記録されることが可能であるように、マウント６１０に向かい合って示されている。光記録媒体２５０が回転される場合、光記録媒体２５０のデータ領域２００にデータがまた、書き込まれることが可能であることが理解できる。光学ドライブ８００は、第１光源１００及び第２光源１１０を有する光ピックアップユニット４００を更に有する。光ピックアップユニット４００は、スレッジ６７０上に置かれ、制御器５００により制御され、それらの両方は光学装置８００の一部を構成している。スレッジ６７０は、光記録媒体２５０の径方向に光ピックアップユニット４００を移動させる。光記録媒体２５０が回転するとき、可視ラベルは、第１光源１００からの第１光ビーム１６０と第２光源１１０からの第２光ビーム１７０とを適用することにより、ラベル領域２８０に記録されることが可能である。また、光学ドライブ８００の一部を構成して、アクチュエータ６９０は、スレッジ６７０の動きを及び光ピックアップユニット４００の動きを制御する。
【００３１】
光ピックアップユニット４００を支えるスレッジ６７０は、第１位置４１０（図６ａを参照されたい）から第２位置４３０（図６ａを参照されたい）まである時間を要する。光ピックアップユニット４００が第１位置４１０から第２位置４３０まで移動されるこの時間は、入力電流と出力光パワーの関係を得るように、有効に用いられる。これについては、図６ａに示している。図６ａにおいては、横軸６２０ａは、光ピックアップユニット４００の位置を示している。縦軸６１０ａは、光ピックアップユニット４００が特定の位置にある時間を示している。図６ａにおいては、光ピックアップユニット４００は、位置４１０から位置４３０に移動される。位置４１０から位置４３０への移動については、時間間隔４４０を要する。この、可視ラベルが記録されない時間間隔４４０は、第１光源１００及び第２光源の入力電流と出力光パワーとの関係を得るために有効に利用される（図５ａ、５ｂを参照されたい）。
【００３２】
当業者は、ソフトウェアにおいて又はハードウェア及びソフトウェアの両方において可視ラベルを記録する光ピックアップユニットを制御する制御器の上記の実施形態を実行することが可能である。しかしながら、同時提出の特許請求の範囲において記載されているように、本発明の広汎な範囲から逸脱することなく、種々の修正及び変形を行うことが可能であることは明らかである。用語“を有する”は、請求項又は明細書において列挙されている要素以外の要素の存在を排除するものではない。要素の単数表現は、そのような要素の複数の存在を排除するものではない。図及び詳細説明は、単なる例示であるとみなされ、本発明を限定するために用いているのではない。
【００３３】
本発明については、光ピックアップユニット（４００）を制御する制御器であって、光ピックアップユニット（４００）は、光記録媒体（２５０）のデータ領域（２００）にデータを記録し、光記録媒体（２５０）のラベル領域（２８０）に可視ラベル（２３０）を記録するための第１光源と、可視ラベル（２３０）を記録するための第２光源とを有する、制御器であり、第１光源（１００）及び第２光源（１１０）が、同時に可視ラベルを少なくとも一部を記録するように、光ピックアップユニット（４００）を制御するように備えられている、制御器を提供するとして、要約することができる。本発明は、可視ラベル記録機能を支援するＣＤ、ＤＶＤ、ブルーレイ等の光学ドライブ全てにおいて有用である。
【図面の簡単な説明】
【００３４】
【図１】光ビームを用いて可視ラベルを記録することができる、光記録媒体の平面図及び斜視図である。
【図２】光ピックアップユニットを制御する制御器の実施形態を示す図である。
【図２ａ】光記録媒体に記録することができる可視ラベルの実施例を示す図である。
【図２ｂ】光記録媒体に記録することができる可視ラベルの実施例を示す図である。
【図３】光ピックアップユニットを制御する制御器の更なる実施形態を示す図である。
【図３ａ】図３の実施形態における光ビームのフォーカシングの詳細を示す図である。
【図４】光ピックアップユニットを制御する制御器の更なる実施形態を示す図である。
【図５ａ】光ピックアップユニットを制御する制御器の更なる実施形態の詳細を示す図である。
【図５ｂ】光ピックアップユニットを制御する制御器の更なる実施形態の詳細を示す図である。
【図５ｃ】光ピックアップユニットを制御する制御器の更なる実施形態の詳細を示す図である。
【図６】光ピックアップユニットを制御する制御器を有する光学装置の詳細を示す図である。
【図６ａ】光ピックアップユニットを制御する制御器を有する光学装置の詳細を示す図である。
【図１】
2009517800.tif 000003
【図２】
2009517800.tif 000004
【図２ａ】
2009517800.tif 000005
【図２ｂ】
2009517800.tif 000006
【図３】
2009517800.tif 000007
【図３ａ】
2009517800.tif 000008
【図４】
2009517800.tif 000009
【図５ａ】
2009517800.tif 000010
【図５ｂ】
2009517800.tif 000011
【図５ｃ】
2009517800.tif 000012
【図６】
2009517800.tif 000013
【図６ａ】
2009517800.tif 000014
【手続補正書】
【提出日】平成20年6月4日(2008.6.4)
【手続補正１】
【補正対象書類名】特許請求の範囲
【補正対象項目名】全文
【補正方法】変更
【補正の内容】
【特許請求の範囲】
【請求項１】
光ピックアップユニットを制御する制御器であって、前記光ピックアップユニットは、
光記録媒体のデータ領域にデータを記録し、前記光記録媒体のラベル領域に可視ラベルを記録する第１光ビームを出射するように備えられている第１光源と、
可視ラベルを記録する第２光ビームを出射するように備えられている第２光源と、
を有する、制御器であり、
前記第１光源及び前記第２光源が、前記光記録媒体の前記ラベル領域における異なる記録位置に対して前記第１光ビーム及び前記第２光ビームをフォーカシングすることにより、前記制御器が同時に前記可視ラベルを少なくとも一部を記録するように、前記ピックアップユニットを制御するように備えられている、
ことを特徴とする、制御器。
【請求項２】
請求項１に記載の制御器であって、
前記第１光源及び前記第２光源を連続して、規則的に選択することにより、光ピックアップユニットを制御し、
第１光源の入力電流と出力光パワーとの間の第１関係と、第２光源の入力電流と出力光パワーとの間の第２関係とを得、そして
前記第１光源を制御する前記第１関係と、前記第２光源を制御する前記第２関係とを用いる、
ことができることを特徴とする、制御器。
【請求項３】
請求項２に記載の制御器であって、更に、前記第１光源及び前記第２光源を選択することにより前記光ピックアップユニットを制御し、前記光ピックアップユニットが第１位置から第２位置めで移動される時間間隔において前記第１関係及び前記第２関係を得ることができることを特徴とする、制御器。
【請求項４】
請求項１乃至３の何れか一項に記載の制御器を有する光学装置であって、特に、ＣＤドライバ、ＤＶＤドライバ、ＨＤ−ＤＶＤドライブ又はブルーレイドライバ。
【請求項５】
請求項４に記載の光学装置を有する記録装置であって、特に、ＣＤレコーダ、ＤＶＤレコーダバ、ＨＤ−ＤＶＤレコーダ又はブルーレイレコーダ。
【請求項６】
光ピックアップユニットを制御することにより光記録媒体のラベル領域に可視ラベルを記録する方法であって、前記光ピックアップユニットは、
光記録媒体のデータ領域にデータを記録し、前記光記録媒体のラベル領域に可視ラベルを記録する第１光ビームを出射するように備えられている第１光源と、
可視ラベルを記録する第２光ビームを出射するように備えられている第２光源と、
を有する、方法であり、
前記方法は、前記第１光源及び前記第２光源が、前記光記録媒体の前記ラベル領域における異なる記録位置に対して前記第１光ビーム及び前記第２光ビームをフォーカシングすることにより、同時に前記可視ラベルを少なくとも一部を記録するように、前記ピックアップユニットを制御するステップを有する、
ことを特徴とする、方法。
【請求項７】
前記プログラムがコンピュータにおいて実行されるときに、請求項６の方法を実行するプログラムコード手段を有するコンピュータプログラム。
【請求項８】
前記プログラムがコンピュータにおいて実行されるときに、請求項６の方法を実行するコンピュータ読み取り可能媒体に記憶されるプログラムコード手段を有するコンピュータプログラム。
【手続補正２】
【補正対象書類名】明細書
【補正対象項目名】全文
【補正方法】変更
【補正の内容】
【発明の詳細な説明】
【技術分野】
【０００１】
本発明は、光記録媒体に可視ラベルを記録する光ピックアップユニットを制御する制御器に関する。
【０００２】
本発明は、光記録媒体に可視ラベルを記録する制御器を有する光学ドライブに更に関する。
【０００３】
本発明は、光記録媒体に可視ラベルを記録する光ドライブを有する記録装置に更に関する。  
本発明は、光ピックアップユニットを制御することにより光記録媒体に可視ラベルを記録する媒体に更に関する。
【０００４】
本発明は、光記録媒体に可視ラベルを記録する方法を実行するコンピュータプログラムコード手段に更に関する。
【０００５】
本発明は、光記録媒体に可視ラベルを記録する方法を実行するコンピュータプログラムに更に関する。
【背景技術】
【０００６】
光記録媒体に可視ラベルを記録するために用いられるシステムの実施形態については、国際公開第０３／０３２２９９号パンフレットに開示されている。統合型ＣＤ／ＤＶＤライタ及びラベラは、光記録媒体のラベル側にラベルを記録する第１レーザ源と、光記録媒体のデータ側にデータを記録する第２レーザ源とを有する。国際公開第０３／０３２２９９号パンフレットにおいて開示されているラベル記録解決方法を用いる、市場におけるシステムには課題がある。それらのシステムは、可視ラベルを記録するのに長い時間を要する。この課題は、フルグラフィック画像がラベル側に記録される必要があるとき、かなり多く理解される。国際公開第０３／０３２２９９号パンフレットに開示されている解決方法を用いて、最適な品質でそのようなフルグラフィック画像を記録するには、約３６分の記録時間を要する。記録に要する多くの時間は、ユーザを不快にさせ、イライラさせるものである。
【特許文献１】国際公開第０３／０３２２９９号パンフレット
【発明の開示】
【発明が解決しようとする課題】
【０００７】
それ故、本発明の第１の目的は、可視ラベルを記録する記録時間を短縮する、冒頭の段落で説明している種類の制御器を提供することである。
【０００８】
本発明の第２の目的は、可視ラベルを記録する記録時間を短縮する、冒頭の段落で説明している種類の制御器を有する光学装置を提供することである。
【０００９】
本発明の第３の目的は、可視ラベルを記録する記録時間を短縮する、冒頭の段落で説明している種類の記録装置を提供することである。  
本発明の第４の目的は、可視ラベルを記録する記録時間を短縮する、冒頭の段落で説明している種類の可視ラベルを記録する方法を提供することである。
【００１０】
本発明の第５の目的は、可視ラベルを記録する記録時間を短縮する、冒頭の段落で説明している種類のコンピュータプログラムコード手段を提供することである。
【００１１】
本発明の第６の目的は、可視ラベルを記録する記録時間を短縮する、冒頭の段落で説明している種類のコンピュータプログラムを提供することである。
【課題を解決するための手段】
【００１２】
本発明の第１の目的は、光ピックアップユニットを制御する制御器を備えることにより実現され、光ピックアップユニットは、
−  光記録媒体のデータ領域にデータを記録し、光記録媒体のラベル領域に可視ラベルを記録する第１光ビームを出射するように備えられている第１光源と、
−  可視ラベルを記録する第２光ビームを出射するように備えられている第２光源と、
を有し、その制御器は、第１光源及び第２光源が、光記録媒体のラベル領域における異なる記録位置に第１光ビーム及び第２光ビームをフォーカシングすることにより同時に可視ラベルを少なくとも一部を記録するように、光ピックアップユニットを制御するように備えられている。第１光源及び第２光源を同時に用いることにより、可視レベルを記録するために利用可能な電力量は増加する。例えば、特定のコーティング材料である、ラベル領域における材料は、典型的には、感熱材料又は感光材料であり、より早く加熱されるものである。異なる位置を同時に記録することは有利である。
【００１３】
異なる位置を同時に記録することにより、全体の記録領域は増加し、それ故、記録時間を短縮することができる。このことは、ラベル領域の過熱を防止し、光源を効率的に使用することができる更なる有利点を有する。更に、これは、光ビームのフォーカシングを制御する自由度を与える。第１光源及び第２光源は、異なる記録位置に対して独立してフォーカシングするように制御されることが可能である。
【００１４】
実施形態においては、制御器は、順に第１光源及び第２光源を規則的に選択することにより光ピックアップユニットを制御し、
−  第１光源の入力電流と出力光パワーとの間の第１関係、
−  第２光源の入力電流と出力光パワーとの間の第２関係、
を得、
−  第１光源を制御する第１関係、
−  第２光源を制御する第２関係、
を用いることができる。
【００１５】
入力電流及び出力光パワーの関係を得ることにより、ラベル記録のために必要な光パワーを制御することが可能である。それらの関係は、ラベル記録のために適する光パワーを得るように適用する必要がある電流量を示す。
【００１６】
第１光源及び第２光源の光パワーは、独立して制御されることが可能である。この実施形態は、制御された光パワーを同時に有する第１光源及び第２光源を用いることができる有利点を有する。
【００１７】
更なる実施形態においては、制御器は、第１光源及び第２光源を選択することにより光ピックアップユニットを制御し、光ピックアップユニットが第１位置及び第２位置から動かされる時間間隔において第１関係及び第２関係を得ることができる。この実施形態は、進行している可視ラベル記録が存在しない時間の間に、入力電流及び出力光パワーの関係が得られる有利点を有する。それ故、それらの関係を得る過程は、ラベル記録時間に影響しない。アクティブなラベル記録が存在しない時間は、入力電流及び出力光パワーの関係を得るように利用される。その時間は、ラベル品質にも、記録時間にも影響しない。
【００１８】
本発明の第２の目的は、光学ドライブ、特に、上記の実施形態において説明しているような制御器を有する、ＣＤドライブ、ＤＶＤドライブ、ＨＤ−ＤＶＤドライブ又はブルーレイドライブを備えることにより実現される。
【００１９】
本発明の第３の目的は、記録装置、特に、上記のような光学ドライブを有する、ＣＤレコーダ、ＤＶＤレコーダ、ＨＤ−ＤＶＤレコーダ又はブルーレイレコーダを備えることにより実現される。
【００２０】
本発明の第４の目的は、光ピックアップユニットを制御することにより光記録媒体のラベル領域に可視ラベルを記録する方法を与えることにより実現され、その光ピックアップユニットは、
−  光記録媒体のデータ領域にデータを記録し、光記録媒体のラベル領域に可視ラベルを記録するための第１光ビームを出射するように備えられている第１光源と、
−  可視ラベルを記録するための第２光ビームを出射するように備えられている第２光源であって、その方法は、第１光源及び第２光源が、光記録媒体の異なる記録位置に第１光ビーム及び第２光ビームをフォーカシングすることにより、同時に可視ラベルを少なくとも一部を記録するように、光ピックアップユニットを制御するステップを有する、第２光源と、
を有する。
【００２１】
本発明の第５の目的は、前記プログラムがコンピュータにおいて実行されるときに、上記で説明している可視ラベルを記録する方法を実行するプログラムコード手段を有するコンピュータプログラムを備えることにより実現される。
【００２２】
本発明の第６の目的は、前記プログラムがコンピュータにおいて実行されるときに、可視ラベルを記録する方法を実行するコンピュータ読み取り可能媒体に記憶されている、上で説明しているプログラムコード手段を有するコンピュータプログラムを備えることにより実現される。
【００２３】
本発明の上記の及び他の目的については、以下、図を参照して更に詳述する。
【発明を実施するための最良の形態】
【００２４】
図１乃至６においては、同じ構成及び機能を有する要素について同じ参照番号で示されている。
【００２５】
図１は、データ領域２００及びラベル領域２８０を有する例示としてのディスク形状の光記録媒体２５０の平面図及び斜視図を示している。データ領域２００は、情報を示す記録可能マークが適用されることが可能であるトラック２１２を有する。それらのトラックは同心円である又は螺旋状に接続されていることが可能である。光記録媒体２５０の裏面はラベル領域２８０である。ラベル領域は、例えば、光ビームを用いてラベルが書き込まれることを可能にする材料でコーティングされることが可能である。この材料は、感光材料又は感熱材料であることが可能である。光記録媒体は、例えば、読み取り専用型（ＣＤ−ＤＡ、ＤＶＤビデオ、ＤＶＤ−ＲＯＭ）、追記型及び書き込み多数回記録可能型（ＣＤ−ＲＷ、ＤＶＤ−ＲＷ、ＤＶＤ＋ＲＷ）等の多くの種類で製造されていることに留意する必要がある。本発明は、上記の種類全て及び新しく開発されたＨＤ−ＤＶＤ及びブルーレイディスクに対して適用可能であり、ラベル領域２８０は、例えば、感光性材料又は感熱性材料でコーティングされている。例示目的で、ディスク形状の光記録媒体が用いられているが、他の形状の光記録媒体がまた、用いられることが可能である。１つのそのような例には、カード式情報記録媒体がある。
【００２６】
図２は、光ピックアップユニット４００を制御する制御器５００の実施形態を示している。図２においては、制御される光ピックアップユニット４００は、第１光源１００及び第２光源１１０を有する。それらの光源は、半導体レーザのようなレーザ光源であって、例えば、７８０ｎｍの波長及び３ｍＷの光パワーを有する赤外線レーザダイオード、６８０ｎｍの波長及び５ｍＷの光パワーを有する赤色レーザダイオード、又は４０５ｎｍの波長及び７ｍＷの光パワーを有する青色レーザダイオードであることが可能である。第１光ビーム１６０は、例えば、カード式情報記録媒体等の光記録媒体２５０のデータ領域２００にデータを記録し、及び、例えば、光記録媒体１５０のラベル領域２８０に単語、Ｐｈｉｌｉｐｓ等の、可視ラベル２３０を記録するために用いられる。第２光ビーム１７０は、可視ラベル２３０を記録するために用いられる。制御器５００は、第１光源１００及び第２光源１１０が、同時に、光記録媒体２５０に可視ラベル２３０を少なくとも一部を記録するように、光ピックアップユニット４００を制御するように備えられている。図２ａ及び２ｂは、制御器５００を用いて、例えば、ＤＶＤディスク等の光記録媒体２５０のラベル領域２８０において生成されることが可能である可視ラベルの幾つかの例を示している。図２ａは、ＰＨＩＬＩＰＳのような企業のロゴが記録された光記録媒体２５０のラベル領域２８０を示している。図２ｂは、テキスト及び画像の両方が記録された可視ラベルを示している。その可視ラベルは、“Ｃｏｌｌｅｃｔｉｏｎ  ｏｆ  ｐｉｃｔｕｒｅｓ−Ｔｈｅ  Ｂｕｌｌ  Ｔｅｍｐｌｅ  Ｖｉｓｉｔ”のテキストと、Ｂｕｌｌ  Ｔｅｍｐｌｅ、庭及び水の流れの生き生きと描かれた絵とを有している。可視ラベルはまた、ホログラムであることが可能であることに留意する必要がある。ここでは、ラベルは、テキスト、パターンの何れか又は何れかのグラフィックデザインを意味することがまた、可能である。例えば、テキスト及びパターン等のそれらの組み合わせであることがまた、可能である。典型的には、可視ラベルは、光ディスクのラベル側に形成されるが、このことは、例えば、カード情報記録媒体が同じ側に、ラベル領域及びデータ領域を有することが可能であるような場合であることは必ずしも必要はない。
【００２７】
図３は、光ピックアップユニット４００を制御する制御器５００の他の実施形態を示している。制御器５００は、第１光源１００が第１光ビーム１６０を出射し、第２光源１１０が第２光ビーム１７０を出射するように、光ピックアップユニットを制御する。更に、制御器５００は、光記録媒体２５０のラベル領域２８０における単独の記録位置２９０に第１光ビーム１６０及び第２光ビーム１７０を同時にフォーカシングするように備えられている。これについては、図３ａに更に示している。第１光ビーム１６０及び第２光ビーム１７０は、光記録媒体２５０のラベル領域２８０における単独の記録位置を照明するように、光ピックアップユニット４００に存在する共通光学系３０４を透過する。光ビーム１６０、１７０の波長の差分及び光学系３０４の色収差のために、光ビーム１６０、１７０は、図３ａに示す光記録媒体２５０において異なる照明領域ａ１及びａ２をもたらす。制御器５００は、ａ）光ビーム１６０、１７０の露光時間、ｂ）光ビーム１６０、１７０の焦点、ｃ）照明領域ａ１及びａ２の直径を制御し、それにより、可視ラベル記録を制御する光ビーム１６０、１７０の軸位置等のパラメータを制御する。
【００２８】
図４は、光ピックアップユニット４００を制御する制御器５００の他の実施形態を示している。制御器５００は、光記録媒体２５０のラベル領域２８０における異なる記録位置２９０ａ、２９０ｂに第１光ビーム１６０及び第２光ビーム１７０を同時にフォーカシングするように備えられている。このことは、例えば、第１光源１００及び第２光源１１０のための別個の光学系を有することにより達成される。そのような別個の光学系を有することは、異なる記録位置への光ビーム１６０、１７０のフォーカシングを可能にし、フォーカシングの自由度についての有利点を与える。更に、上の実施形態で説明しているように、制御器５００は、可視ラベル記録を制御するように、前の段落に上げているパラメータを制御する。
【００２９】
図５ａ、５ｂ及び５ｃは、光ピックアップユニット４００を制御する制御器５００の更なる実施形態の詳細を示している。図５ａにおいては、制御器５００は、第１光源１００をオンに切り換え、第１光源１００に適用される電流１００ａを制御する。制御器５００は、第１光源１００に電流１００ａを適用することにより得られる光パワー１００ｂを測定する。制御器５００は、入力電流１００ａを変えて、得られる、対応する出力光パワー１００ｂを測定する。第１光源１００の出力光パワー１００ｂは、フォトダイオード５４０のような光検出器を用いることにより測定される。この測定を行うことにより、制御器５００は、第１光源１００の出力光パワー１００ｂと入力電流１００ａとの間の第１関係を得る。同じステップに従って、制御器５００は、第２光源１１０の出力光パワー１１０ｂと入力電流１１０ａとの間の第２関係を得る（図５ａには示していない）。得られた関係を図５ｂに示している。図５ｂにおいては、横軸５２０ａは、光源１１０に適用される電流１１０ａを示している。縦軸５１０ａは、適用される電流レベル１１０ａにおいて測定された光パワー１１０ｂを示している。制御器５００は、それらの関係、例えば、ラベリングが行われないブランク領域が存在する各々の時間を規則的に得る。第１関係及び第２関係を得た後、制御器５００は、図５ｃに示す第１の得られた関係を用いる第１光源１００及び第２の得られた関係を用いる第２光源１１０を同時に、オンに切り換える。この実施形態は、制御された光パワーと同時に第１光源及び第２光源とを用いる有利点を有する。このことは、光記録媒体２５０に適用されるパワー量を制御するように支援するため、個別の光源１００、１１０の各々を独立して制御することができる有利点を有する。
【００３０】
図６は、光ピックアップユニットを制御する制御器５００を有する光学装置８００を示している。構成要素、即ち、ａ）モーター６５０、ｂ）光ピックアップユニット４００、ｃ）スレッジ６７０、ｄ）光学装置８００のアクチュエータ６９０は、米国特許出願公開第２００５／０１１７４９９号明細書に記載されている光情報記録及び再生装置により既知であり、その文献の援用により、本明細書の説明の一部を代替する。図６に示す光学装置８００は、光記録媒体３５０を保持し、回転させるためのマウント６１０及びモーター６５０を有する。光記録媒体２５０のラベル領域２８０は、可視ラベルが光記録媒体２５０のラベル領域２８０に記録されることが可能であるように、マウント６１０に向かい合って示されている。光記録媒体２５０が回転される場合、光記録媒体２５０のデータ領域２００にデータがまた、書き込まれることが可能であることが理解できる。光学ドライブ８００は、第１光源１００及び第２光源１１０を有する光ピックアップユニット４００を更に有する。光ピックアップユニット４００は、スレッジ６７０上に置かれ、制御器５００により制御され、それらの両方は光学装置８００の一部を構成している。スレッジ６７０は、光記録媒体２５０の径方向に光ピックアップユニット４００を移動させる。光記録媒体２５０が回転するとき、可視ラベルは、第１光源１００からの第１光ビーム１６０と第２光源１１０からの第２光ビーム１７０とを適用することにより、ラベル領域２８０に記録されることが可能である。また、光学ドライブ８００の一部を構成して、アクチュエータ６９０は、スレッジ６７０の動きを及び光ピックアップユニット４００の動きを制御する。
【００３１】
光ピックアップユニット４００を支えるスレッジ６７０は、第１位置４１０（図６ａを参照されたい）から第２位置４３０（図６ａを参照されたい）まである時間を要する。光ピックアップユニット４００が第１位置４１０から第２位置４３０まで移動されるこの時間は、入力電流と出力光パワーの関係を得るように、有効に用いられる。これについては、図６ａに示している。図６ａにおいては、横軸６２０ａは、光ピックアップユニット４００の位置を示している。縦軸６１０ａは、光ピックアップユニット４００が特定の位置にある時間を示している。図６ａにおいては、光ピックアップユニット４００は、位置４１０から位置４３０に移動される。位置４１０から位置４３０への移動については、時間間隔４４０を要する。この、可視ラベルが記録されない時間間隔４４０は、第１光源１００及び第２光源の入力電流と出力光パワーとの関係を得るために有効に利用される（図５ａ、５ｂを参照されたい）。
【００３２】
当業者は、ソフトウェアにおいて又はハードウェア及びソフトウェアの両方において可視ラベルを記録する光ピックアップユニットを制御する制御器の上記の実施形態を実行することが可能である。しかしながら、同時提出の特許請求の範囲において記載されているように、本発明の広汎な範囲から逸脱することなく、種々の修正及び変形を行うことが可能であることは明らかである。用語“を有する”は、請求項又は明細書において列挙されている要素以外の要素の存在を排除するものではない。要素の単数表現は、そのような要素の複数の存在を排除するものではない。図及び詳細説明は、単なる例示であるとみなされ、本発明を限定するために用いているのではない。
【００３３】
本発明については、光ピックアップユニット（４００）を制御する制御器であって、光ピックアップユニット（４００）は、光記録媒体（２５０）のデータ領域（２００）にデータを記録し、光記録媒体（２５０）のラベル領域（２８０）に可視ラベル（２３０）を記録するための第１光ビーム（１６０）を出射するように備えられている第１光源と、可視ラベル（２３０）を記録するための第２光ビーム（１７０）を出射するように備えられている第２光源とを有する、制御器であり、第１光源（１００）及び第２光源（１１０）が、光記録媒体（２５０）のラベル領域（２８０）における異なる記録位置（２９０ａ、２９０ｂ）に第１光ビーム（１６０）及び第２光ビーム（１７０）をフォーカシングすることにより、同時に可視ラベルを少なくとも一部を記録するように、光ピックアップユニット（４００）を制御するように備えられている、制御器を提供するとして、要約することができる。本発明は、可視ラベル記録機能を支援するＣＤ、ＤＶＤ、ブルーレイ等の光学ドライブ全てにおいて有用である。
【図面の簡単な説明】
【００３４】
【図１】光ビームを用いて可視ラベルを記録することができる、光記録媒体の平面図及び斜視図である。
【図２】光ピックアップユニットを制御する制御器の実施形態を示す図である。
【図２ａ】光記録媒体に記録することができる可視ラベルの実施例を示す図である。
【図２ｂ】光記録媒体に記録することができる可視ラベルの実施例を示す図である。
【図３】光ピックアップユニットを制御する制御器の更なる実施形態を示す図である。
【図３ａ】図３の実施形態における光ビームのフォーカシングの詳細を示す図である。
【図４】光ピックアップユニットを制御する制御器の更なる実施形態を示す図である。
【図５ａ】光ピックアップユニットを制御する制御器の更なる実施形態の詳細を示す図である。
【図５ｂ】光ピックアップユニットを制御する制御器の更なる実施形態の詳細を示す図である。
【図５ｃ】光ピックアップユニットを制御する制御器の更なる実施形態の詳細を示す図である。
【図６】光ピックアップユニットを制御する制御器を有する光学装置の詳細を示す図である。
【図６ａ】光ピックアップユニットを制御する制御器を有する光学装置の詳細を示す図である。
【国際調査報告】
2009517800.tif 000015
2009517800.tif 000016